(57)【特許請求の範囲】
【請求項１】
ボウル部と、該ボウル部の下端に接続されたトラップ部と、該トラップ部に設けられたノズル口とを備え、該ボウル部及び該トラップ部は陶器製の洋風便器本体により構成され、該ノズル口には該洗浄水を吐出可能な洗浄装置とジェット用配管により接続されたジェットノズルが固定され、該ジェットノズルのジェット口により洗浄水を該トラップ部に沿って噴出する洋風水洗式便器において、
前記ジェット用配管は前記洋風便器本体とは別に構成され、面状をなして前記トラップ部を囲包しつつ加熱するヒータにより該ジェット用配管を加熱し、該ヒータの下方には該トラップ部及び該ジェット用配管を防露する防露材が設けられ、該ヒータは該ジェット用配管を囲包していることを特徴とする洋風水洗式便器。
【請求項２】
洋風便器本体はボウル部及びトラップ部を隠蔽する台座部を有し、防露材は、該トラップ部及びジェット用配管を囲包すべく該台座部の内面に周縁が固定され、該トラップ部の排出口を剥き出しとしていることを特徴とする請求項１記載の洋風水洗式便器。
【請求項３】
洋風便器本体にはジェット用配管を内部に案内する開口が形成され、ヒータに接続されるコードは該開口に挿通されることを特徴とする請求項１乃至２のいずれか１項記載の洋風水洗式便器。
【請求項４】
開口は上方より目視しやすい位置に貫設されていることを特徴とする請求項３記載の洋風水洗式便器。
【請求項５】
洗浄装置は、外部より洗浄水を供給する給水管に直結され、バルブの開閉により洗浄水を吐出可能なものであることを特徴とする請求項１乃至４のいずれか１項記載の洋風水洗式便器。
【発明の詳細な説明】
【０００１】
【発明が属する技術分野】
本発明は洋風水洗式便器に関する。
【０００２】
【従来の技術】
洋風水洗式便器として、ボウル部と、ボウル部の上縁に形成され、ボウル部に洗浄水を流下可能なリム通水路を内部にもつリムと、ボウル部の下端に接続されたトラップ部と、トラップ部に設けられたノズル口とを備えたものが知られている。従来の洋風水洗式便器では、ボウル部及びトラップ部が陶器製の洋風便器本体により構成され、ノズル口には洋風便器本体とは別体のジェットノズルが固定され、このジェットノズルがジェット用配管により洗浄装置と接続されることにより、ジェットノズルのジェット口により洗浄水をトラップ部に沿って噴出するようになっている。
【０００３】
かかる洋風水洗式便器では、洗浄装置から吐出された洗浄水がリム通水路を介してリムに供給され、これによりボウル部の洗浄や溜水の確保が行われる。また、洗浄水はジェット用配管を介してジェット口にも供給され、これにより強制的にサイホン効果を生じさせて少ない洗浄水でも汚物の排出が可能となされている。このため、この洋風水洗式便器では、節水によるランニングコストの低廉化を実現可能である。また、この洋風水洗式便器では、陶器製の洋風便器本体が比較的簡易な形状であるため、製造コストの低廉化を実現可能である。
【０００４】
【発明が解決しようとする課題】
しかし、上記従来の洋風水洗式便器では、仮に寒冷地で用いられるのであれば、トラップ部内の洗浄水等が凍結し、寒期に使用不可となったり、破壊を生じたりするおそれがある。
【０００５】
この点、トラップ部の下方にヒータを設けることも考えられる。こうであれば、寒冷地で用いられた場合であっても、ヒータによりトラップ部を加熱することができるため、トラップ部内の洗浄水等の凍結を防止し、寒期の使用可能状態と破壊防止とを実現できる。
【０００６】
しかしながら、かかる洋風水洗式便器では、例えトラップ部にヒータを設けていても、ジェット用配管内の洗浄水が凍結する場合がある。特に、洋風水洗式便器において、ジェット用配管がヒータを備えた洋風便器本体と別体であれば、洋風便器本体がジェット通水路を有する従来のものに比し、この傾向が大きい。この際、トラップ部を加熱するヒータとは別のヒータによりジェット用配管を加熱するとすれば、製造コストの高騰化を生じてしまう。こうであれば、製造コスト及びランニングコストの低廉化と、寒期での使用可能状態の維持及び破壊防止とを両立することができない。
【０００７】
本発明は、上記従来の実情に鑑みてなされたものであって、製造コスト及びランニングコストの低廉化と、寒期での使用可能状態の維持及び破壊防止とを両立することのできる洋風水洗式便器を提供することを解決すべき課題とする。
【０００８】
【課題を解決するための手段】
本発明の洋風水洗式便器は、ボウル部と、該ボウル部の下端に接続されたトラップ部と、該トラップ部に設けられたノズル口とを備え、該ボウル部及び該トラップ部は陶器製の洋風便器本体により構成され、該ノズル口には該洗浄水を吐出可能な洗浄装置とジェット用配管により接続されたジェットノズルが固定され、該ジェットノズルのジェット口により洗浄水を該トラップ部に沿って噴出する洋風水洗式便器において、
前記ジェット用配管は前記洋風便器本体とは別に構成され、面状をなして前記トラップ部を囲包しつつ加熱するヒータにより該ジェット用配管を加熱し、該ヒータの下方には該トラップ部及び該ジェット用配管を防露する防露材が設けられ、該ヒータは該ジェット用配管を囲包していることを特徴とする。
【０００９】
本発明の洋風水洗式便器では、トラップ部を加熱するヒータによりジェット用配管を加熱することから、寒冷地で用いられる場合でも、ジェット用配管内の洗浄水の凍結を防止することができる。このため、節水によるランニングコストの低廉化と、寒期での使用可能状態の維持及び破壊防止とを両立することができる。また、ジェット用配管独自のヒータが不要であるため、製造コストの低廉化をも実現できる。
【００１０】
したがって、本発明の洋風水洗式便器によれば、製造コスト及びランニングコストの低廉化と、寒期での使用可能状態の維持及び破壊防止とを両立することができる。
【００１１】
ヒータとしては面状をなすものを採用する。かかるヒータは公知である。このようなヒータであれば、トラップ部を容易に囲包することができ、ヒータの近傍にジェット用配管を位置させることにより、本発明の作用効果を実現できる。また、このようなヒータであれば、トラップ部及びジェット用配管を容易に囲包することもでき、本発明の作用効果を実現できる。
【００１２】
洋風便器本体にはジェット用配管を内部に案内する開口が形成され得る。一方、ヒータには外部電源と接続されるコードが設けられるのが通常である。洋風便器本体の形成された開口にこのコードを開口することが好ましい。さもなければ、コードを挿通するための開口を別途洋風便器本体に形成しなければならず、洋風便器本体の製造が面倒となり、製造コストの高騰化を招来するとともに、見栄えも悪くなるからである。そのような開口は、上方より目視しやすい位置に貫設されていることが好ましい。これにより洋風水洗式便器の組み付け性が向上するからである。
【００１３】
洗浄装置としては、従来公知の洗浄タンクの他、外部より洗浄水を供給する水道管等の給水管に直結され、バルブの開閉により洗浄水を吐出可能なものを採用することができる。後者の洗浄装置を採用する場合に本発明の効果が大きい。前者の洗浄装置は、洗浄水を一旦貯留して吐出するものであり、貯留時に他のヒータ等により加熱することにより、ジェット用配管内の洗浄水の凍結を防止することは比較的容易であるのに対し、後者の洗浄装置は、随時新しい洗浄水を外部の給水管から吐出するため、ジェット用配管内に外部に存在した洗浄水が流れることとなり、寒期において、そこでの凍結を生じやすいからである。
【００１４】
【発明の実施の形態】
以下、本発明を具体化した実施形態１、２及び参考形態１を図面を参照しつつ説明する。
【００１５】
（参考形態１）
参考形態１の洋風水洗式便器は、図１に示すように、陶器製の洋風便器本体１と、外部より洗浄水を供給する図示しない水道管に直結され、バルブを内蔵した洗浄装置２とを有している。なお、便座及び便蓋は図示を省略している。
【００１６】
洋風便器本体１は、図２にも示すように、汚物を受けるボウル部３と、このボウル部３の上縁全周に形成され、ボウル部３に洗浄水を流下可能なリム通水路４ａを内部にもつリム４と、図１に示すように、ボウル部３の下端に接続されたトラップ部５とを備えている。トラップ部５の一次側底部にはノズル口５ａが貫設されている。リム４の後方には平坦に延在する載置部６が形成されており、ボウル部３及びトラップ部５はリム４及び載置部６から下方に延在する台座部７により隠蔽されている。図１及び図２に示すように、台座部７の後方中央には内部に貫通する開口７ａが形成されている。
【００１７】
図１に示すように、洗浄装置２にはジェット用配管８が接続されており、このジェット用配管８は開口７ａを介して台座部７内に延在されている。また、図４に示すように、開口７ａの外側にはジェット用配管８を封止する封止材１３が設けられている。ジェット用配管８はノズル口５ａに固定されるジェットノズル９に接続されている。ジェットノズル９のジェット口９ａは洗浄装置２から供給された洗浄水をトラップ部５に沿って噴出するようになされている。
【００１８】
なお、リム通水路４ａの後方側には洗浄装置２と接続されたリム用配管１０が収納され、リム用配管１０は洗浄装置２から供給された洗浄水をリム通水路４ａ内に噴出するようになされている。また、トラップ部５の二次側である排出口５ｂには、トイレ室の床下に設けられた図示しない排出管と排出口５ｂとを接続する排出ソケット１１が設けられている。
【００１９】
また、この洋風水洗式便器では、特徴的な構成として、洋風水洗式便器１のボウル部３の底部及びトラップ部５の一次側が面状のヒータ１２により囲包されている。ジェット用配管８は、図３に示すように、このヒータ１２に隣接している。ヒータ１２の図示しないコードは洋風便器本体１の台座部７に貫設された図示しない他の開口に挿通され、この開口の外側にはコードを封止する図示しない封止材が設けられている。
【００２０】
さらに、図１及び図３に示すように、ヒータ１２の下方では、トラップ部５及びジェット用配管８を囲包すべく、台座部７の内面に周縁が固定され、トラップ部５の排出口５ｂを剥き出しとした面状の防露材１４が設けられている。
【００２１】
以上のように構成された洋風水洗式便器では、トラップ部５を加熱するヒータ１２がジェット用配管８をも加熱することから、寒冷地で用いられる場合でも、ジェット用配管８内の洗浄水の凍結を防止することができる。このため、節水によるランニングコストの低廉化と、寒期での使用可能状態の維持及び破壊防止とを両立することができる。また、ジェット用配管８独自のヒータが不要であるため、製造コストの低廉化をも実現できる。
【００２２】
したがって、この洋風水洗式便器によれば、製造コスト及びランニングコストの低廉化と、寒期での使用可能状態の維持及び破壊防止とを両立することができる。また、開口７ａが上方より目視しやすい位置に貫設されているため、洋風水洗式便器の組み付け性が向上している。
【００２３】
（実施形態１）
実施形態１の洋風水洗式便器では、図５に示すように、洋風水洗式便器１のボウル部３の底部、トラップ部５の一次側及びジェット用配管８が面状のヒータ１５により囲包されている。他の構成は参考形態１と同様である。
【００２４】
この洋風水洗式便器においても、参考形態１と同様の作用効果を奏することができる。
【００２５】
（実施形態２）
実施形態２の洋風水洗式便器では、図６に示すように、ヒータ１２のコード１２ａがジェット用配管８とともに開口７ａに挿通されている。開口７ａの外側にはこれらジェット用配管８及びコード１２ａを封止する封止材１６が設けられている。他の構成は実施形態１と同様である。
【００２６】
この洋風水洗式便器では、コード１２ａを挿通するための開口７ａを別途洋風便器本体１に形成する必要がないことから、洋風便器本体１の製造が容易となり、製造コストの低廉化を実現できるとともに、見栄えもよくなっている。他の作用効果は実施形態１と同様である。
【図面の簡単な説明】
【図１】参考形態１の洋風水洗式便器の縦断面図である。
【図２】参考形態１の洋風水洗式便器に係る洋風便器本体の平面図である。
【図３】参考形態１の洋風水洗式便器の横断面図である。
【図４】参考形態１の洋風水洗式便器の要部縦断面図である。
【図５】実施形態１の洋風水洗式便器の横断面図である。
【図６】実施形態２の洋風水洗式便器の要部縦断面図である。
【符号の説明】
１…洋風便器本体
３…ボウル部
５…トラップ部
２…洗浄装置
８…ジェット用配管
９…ジェットノズル
９ａ…ジェット口
１２、１５…ヒータ
１２ａ…コード
７ａ…開口
【図１】
0003815945.tif 000002
【図２】
0003815945.tif 000003
【図３】
0003815945.tif 000004
【図４】
0003815945.tif 000005
【図５】
0003815945.tif 000006
【図６】
0003815945.tif 000007